Podtech/llm-jp-corpus-v4-ja_patent huggingface dataset:
(57)【要約】【課題】ごみを袋に掃きいれる際、袋の開口部を手で床に押さえつけることなく掃き入れられるようにする。ごみを発生時点で速やかに片付ける。【解決手段】ゴミ袋の開口部に錘としての平板を差込みちりとりの先端としたことを特徴とする。すみやかに掃除が出来るようにちりとりを平板で作り、身近に置いて置けるようにした。【選択図】図３
2009178534.tif 000002
【特許請求の範囲】
【請求項１】
平板を２つに折り曲げ、このとき出来る面の一方を底板としもう一方の面を上板とすると、このとき出来る底板と上板の間に、袋あるいは箱の開口部を挟み込みちりとりを構成できる隙間を持つちりとり板。
【請求項２】
上記ちりとり板の底板を、断面が“へ”の字状になるように折り曲げると共に、上板が底板とつながっている端（以後、ごみ取り込み端と称す）とは反対側の上板の端が、ごみ取り込み端を基点とした時、底板の折り曲げ線の位置より少し’長く位置するようにしたちりとり板。
【発明の詳細な説明】
【技術分野】
【０００１】  袋あるいは箱を再利用出来るように考えたちりとり
【技術の背景】
【０００２】  いらなくなった袋にごみを入れるとき従来手でごみ袋の縁を押さえて掃きいれていた。しかし、面倒なものであった。又、一箇所で何か作業をしているときに出る小さなごみを掃除するのにその発生した時点で速やかに掃除したいと考えた。そうすることにより作業がしやすくなると考えた。このようなことを考えたときに掃除具がいつも手じかにあればいいとも考えた。
【発明の開示】
【発明が解決しようとする課題】
【０００３】  袋にごみを入れるとき従来手でごみ袋の縁を押さえて掃きいれていた。が面倒なものであった。それで袋にごみを入れるときに、直接ごみ袋にごみを掃きいれるように出来るにはどうすればよいか考えた。
【発明が解決する手段】
【０００４】  平板を２つに折り曲げ袋あるいは箱あるいは紙を取り付けるための開口（以後、袋取り付け開口部という）を作り、この袋取り付け開口部に袋あるいは箱の開口部端の一部を挟み、袋あるいは箱を取り付け、袋の場合は挟んでいない縁を手あるいはＬ字状の棒で、袋の開口部を広げてちりとりを構成した。このとき、平板を２つに折り曲げ袋を挟み込む本発明のちりとり板には錘として機能するような適当な重さも併せ持たせたことを特徴とする。
【発明の効果】
【０００５】  かかる構造にすることにより、手で袋の端を床面に押さえつけなくても、ごみを直接袋の中に取り込めるようになった。又本発明の、単一板で各部位を構成したというシンプルな構造は製品を安く作れるという経済性にもつながった。さらに発明の動機ともなった作業中に発生するごみをその発生時点で掃除をするということも実現できた。例えば机で作業しているとき机の側にぶら下げたり、引出しにいれたりと、本発明のちりとり板を作業しているそばにおいて置くことが容易で、必要に応じてすぐ取り出せるようになった。
【０００６】  上記のほかに本発明は以下の実施例３から実施例５のごとく使用することにより、ちりとりだけでなく、ゴミ箱にも、あるいは米とか砂とかの粒状物を入れるときに縁を広げ固定し、入れやすくするものに、又ちりとり板を複数枚収納するとき重ねて高密度に収納できる。などの効果がある。
【発明実施の形態】
【実施例１】
【０００７】  図１は請求項１の実施例で平板を２つに折り上板（２）と底板（１）を作りその間に出来た袋取り付け開口部（３）にごみ袋あるいは箱あるいは紙を挟み込んで、上板（２）と底板（１）との折れ線のところにできた折り曲げ線であるごみ取り込み部（４）よりごみを袋あるいは箱あるいは紙の中に取り込む本発明のちりとり板の図で、このシンプルな嵩張らない構造は使わないときの収納の場所をほとんで選ばない。例えば、底板（１）の部分に穴をあけ、ヒートンなどにかけれるようにしたり、机の引出しにしまったりと身近にその収納場所を見つけることが容易に出来る。又複数枚の本発明のちりとり板を収納するときでも袋取り付け開口部（３）にもう一枚のごみ取り込み部（４）を差し込みコンパクトに収納できる。
【実施例２】
【０００８】  図３から図６は請求項２の発明の実施例である。請求項１のちりとりプレートの底板（１）の部分をへの字に曲げ、への字折り曲げ線（５）を作り、上板（２）の袋取り付け開口端（７）をへの字折り曲げ線（５）より長くなるようにし、この上板（２）のへの字折り曲げ線（５）より長い部分で袋に入ったごみが再び外に出ない面（以後、ゴミ逆止面（６）と呼ぶ）を作るとともに袋取り付け開口部（３）を作ったものである。こうすることにより出来た袋取り付け開口部（３）はより袋を取り付け易くすると同時に、ごみを掃きいれる際、入ったちりを外に逃がさないという効果があり、又、底板（１）をへの字に曲げ出来たごみ取り込み部（４）はごみがちりとりの底に逃げるのを防ぎ、さらには箒により上板にかかる力が、床面に下方向に作用し、ちりとり板が逃げるのを防ぎ掃除をやり易くするという効果がある。
【実施例３】
【０００９】  本発明をごみ箱として使った一例である。袋取り付け開口部（３）に袋の開口部を折り返して取り付け、机の引出しに底板（１）のごみ取り込み部（４）とは反対側の端から差し込みいれ、引出しを閉めて、本発明のちりとり板を固定し、小さなゴミ箱として使う。机の上で作業しているときに出るごみをほとんど移動することなくこの袋に入れることができる。
【実施例４】
【００１０】  本発明を袋に米や砂などの内容物を入れるときに使った一例である。例えば米を筵に干したりしたとき、その取り入れに、本発明のちりとり板を米袋の開口部の一部に取り付けることで、米を取り入れやすくできる。
【実施例５】
【００１１】  本発明のちりとり板の袋とりつけ開口部（３）に新聞紙などの紙を挟み込みその紙の上にごみを掃きこんで、この紙をまるめることにより、ゴミをまとめることができる。ｂ
【図面の簡単な説明】
【００１２】
【図１】は請求項１のちりとり板の斜視図。
【図２】は請求項１のちりとり板の側面図。
【図３】は請求項２のちりとり板の斜視図。
【図４】は請求項２のちりとり板に袋を取り付けたところの斜視図。
【図５】は請求項２のちりとり板の平面図。
【図６】は請求項２のちりとり板の断面図。
【符号の説明】
【００１３】１  底板
２  上板
３  袋取り付け開口部
４  ごみ取り込み部
５  への字折り曲げ線
６  ごみ逆止面
７  袋取り付け開口端
８  袋
【図１】
2009178534.tif 000003
【図２】
2009178534.tif 000004
【図３】
2009178534.tif 000005
【図４】
2009178534.tif 000006
【図５】
2009178534.tif 000007
【図６】
2009178534.tif 000008
(57)【要約】      （修正有）【課題】買い物中に持ち運びの邪魔とならず、且つ精算時、組み立て時に容易に設置、組み立てができる買い物かごを提供する。【解決手段】構成部品は、底面板１、側面板３、支持腕２、取手５から成り、底面板１は中央で連結しており、内側へ押し込むことにより、支持腕２と共に内側へ屈折し、折りたたみ、広げることが出来る。側面版３には、未使用時に台車や買い物かごに掛けられるようフック６を設置しており、この折りたたみ式のフレームに、外掛けのバッグ、または脱落防止布を使用する形式の買い物かごとし、誰でも簡単に折りたたみ、広げることができる構成とする。【選択図】図１
2009178533.tif 000002
【特許請求の範囲】
【請求項１】
構成部品は、底面板２枚、側面板２枚、支持腕４本、取手２本から成り、底面板は中央で連結しており、内側へ押し込むことにより、支持腕と共に内側へ屈折し、折りたたみ、広げることが出来る構成。側面版には、未使用時に台車や買い物かごに掛けられるようフックを設置しており、この折りたたみ式のフレームに、外掛けのバッグ、または脱落防止布を使用する形式。
【発明の詳細な説明】
【技術分野】
【０００１】  本発明は、買い物の効率化を図った買い物かごに関する。
【背景技術】
【０００２】  既に製品化されているエコバッグは、出し入れ、設置、組み立てに多少の手間が必要な製品が多い。布製の折りたたみエコバッグは、未使用時の持ち運びには便利であるが、精算後の商品の入れ替え作業が発生する。買い物かごへ据え付けるタイプでは、買い物かごへの設置の手間が必要となる。
【発明の開示】
【発明が解決しようとする課題】
【０００３】  一般的なエコバッグは使用時の出し入れ、組み立てに多少の手間を必要としている。また、買い物においては精算終了後の商品の詰め替え作業が必要となり、精算終了後の手間がかかっている。また、買い物かごへ設置可能なエコバッグもあるが、取り出し設置するまでの手間が必要となり、中身が入っていない状態で自立できない。
【課題を解決するための手段】
【０００４】  本発明は、買い物中に持ち運びの邪魔とならず、且つ精算時、組み立て時に容易に設置、組み立てができる構造となっており、買い物、物品の運搬の効率化を提供する。
構成部品は、底面板２枚、側面板２枚、支持腕４本、取手２本から成り、底面板は中央で連結しており、内側へ押し込むことにより、支持腕と共に内側へ屈折し、折りたたみ、広げることが出来る構成。側面版には、未使用時に台車や買い物かごに掛けられるようフックを設置しており、この折りたたみ式のフレームに、外掛けのバッグ、または脱落防止布を使用する形式の買い物かごとし、誰でも簡単に折りたたみ、広げることができる構成とする。
【発明の効果】
【０００５】  未使用時の運搬性、使用時の設置、組み立ての容易性から、買い物、物品の運搬をより効率よく行うことができる為、エコバッグの普及、また、ポリ袋を使用量削減効果も期待できる。
【発明を実施するための最良の形態】
【０００６】  本発明の実施の形態を図１〜図５に基づいて説明する。
（イ）  本発明は、図１のように自己支持機構を有する底面板（１）、軸方向からの加重に対して容易に屈折しないようヒンジ部の軸をずらした支持腕（２）、それらと連結して箱形状を保つ側面板（３）、物品の転落を防止する外掛けバッグ、及び落下防止布（４）で構成される。
（ロ）  底面板（１）は、側面板（３）と連結しており、底面板（１）も互いに連結している。底面板（１）の連結部には、図２のように互いに下方向への荷重に耐えられるよう自己支持用の耐荷重板機構を設ける。折りたたみ時は、箱内側へ屈折する。
（ハ）  支持腕（２）は、図３のように両側の側面板（３）と連結しており、ヒンジ部は軸中心と中心をずらすことで、使用時の軸方向からの荷重に対して容易に屈折しないようになっている。折りたたみ時は、内側へ屈折する。外掛けバッグ、及び転落防止布（４）は、組み立て時はケース内部の物品の転落を防ぎ、折りたたみ時は、内側へ折りたたまれる。
（ニ）  側面板（３）には、取手（５）を設置し、図４のように折りたたみ時、つまり未使用時は買い物かご、台車の側面などに掛けられ、本発明同士も連結できるようフック（６）を設置し、未使用時も邪魔にならないようにしている。
（ホ）  フック（６）は図５のように、未使用は下へ折りたためるようにする。
（ヘ）  図６のように本発明のフレーム（７）の構造に、落下防止布の替わりに外掛けのバッグ（８）を使用することで、色々なバッグの柄を楽しむこともでき、ポケットをつければ折りたたみ時も小物や雑誌を入れることが出来、未使用時には、簡易的なバッグとしても使用できる。また、外掛けバッグは取り外し、洗濯もできるので衛生的である。
【図面の簡単な説明】
【０００８】
【図１】全体図
【図２】底面板の構成図
【図３】支持腕・落下防止布の構成図
【図４】側面板の構成図
【図５】フックの構成図
【図６】フレームと外掛けバッグの概要図
【符号の説明】
【０００９】（１）底面板、（２）支持腕、（３）側面板、（４）外掛けバッグ、及び転落防止布、（５）取手、（６）フック、（７）フレーム、（８）外掛けバッグ、（９）ポケット
【図１】
2009178533.tif 000003
【図２】
2009178533.tif 000004
【図３】
2009178533.tif 000005
【図４】
2009178533.tif 000006
【図５】
2009178533.tif 000007
【図６】
2009178533.tif 000008
(57)【要約】【課題】短い釘を打つために安全にかつ確実に作業ができる補助具を提供する。【解決手段】釘を保持し釘の頭に打撃板を設け、打撃板を通じて間接的にハンマーで打つことにより、短い釘が垂直に目的物に打ち込める。【選択図】図１
2009178838.tif 000002
【特許請求の範囲】
【請求項１】
Ｖ形の溝６と板ばね３により釘７を保持し釘頭に位置する上部に打撃板４を設けた釘打ち補助具。
【請求項２】
請求項１において打撃板４にピン１０を設け該打撃板４を回動自在にした釘打ち補助具。
【発明の詳細な説明】
【発明の詳細な説明】
【技術分野】  小さな釘を打ち込むときの補助具に関する。
【背景技術】  指で掴むには小さすぎる釘を打ち込むので先の細いペンチなどで作業していた。
【発明の解決しようとする課題】
先の細いペンチは別の用途のために作られたもので、小さな釘を挟んでその姿勢を保つことは難しく、釘を打ち終わるまで片手の指に力を入れて押さえていなければならず、注意力の集中を余儀なくされる。たとえ指で掴むことができる釘でも釘の頭をハンマーで打ち込むときハンマー面と釘の頭の角度が斜めに当たると木材に突き刺さらないで倒れてしまう。慣れないものには困惑する作業である。
【課題を解決する手段】
通常釘を打ち込む作業を分類すると下記のような動作に分けることができる。
１  釘を指で支える。
２  支えながら釘の頭をハンマーで打つ。
３  釘が木材に突き刺さり自立する。
４  釘から指をはずしてハンマーで打ち込む。
以上は普通に釘を打つときの順序だが、指の幅よりも短い釘に対しては補助具に頼らざるを得ない。即ち補助具で釘を保持する。打ち込むときの角度の違いで釘の頭とハンマー面に滑りが生じないように間接的な打撃を与える。この方法で作業すれば常に失敗なく打ち込むことができる。
【発明を実施するための最良の形態】  請求項１の形態について図１、図２により詳しく説明する。
図１は本発明の全体図で、釘７を補助具１に装着して目的の木材８に打ち込むためにハンマー９を打撃板４に向かって降りおろそうとしているところである。
釘７は補助具１に装着された状態では台板２のＶ溝６と板ばね３の弾力で保持されるので釘７の半径方向には固定され、長手方向には滑りが可能になる。
打撃板４の上面はハンマー９の打撃力をうけ、打撃板４の下面は釘７の頭に力を伝える。ここで注目するのは打撃板４も装着された釘７も同じ補助具１の系に含まれているということである。ハンマー９からの衝撃力を受けても釘７と打撃板４下面とは横滑りをせず、前進するのみである。釘７の進入する向きは補助具１の把手５の支え方できまる。
次に請求項２の形態について図３、図４、図５により詳しく説明する。
釘７を補助具１に装着するとき受台２のＶ溝６と板ばね３の間に釘７を挿入する。このとき、釘頭の上部に打撃板４があると、釘７の挿入がやりにくくなる。
図３に示すように、この打撃板４の一端に穴をあけ、台板２に植えたピン１０にはまり込み、ピン１０を中心に回動自在となる。
釘７を装着するときは打撃板４を図３のような位置にすると釘７の頭に障害物がなくなるので作業がやりやすくなる。
釘７を装着したのち、打撃板４は釘７の上部で固定されなければならない。図６は打撃板４を位置決めする方法の１例である。打撃板４の裏面に錐もみ穴１３をあけ、台板２にコイルばね１２．とボール１１が入る穴１４を設けてボール１１はコイルばね１２の反発力により、絶えず上部に押す力が与えられている。打撃板４の錐もみ穴１３がボール１１と合致したときにはボール１１は上方へ飛び上がり、錐もみ穴１３にボール１１が入り打撃板４は固定される。
請求項１、請求項２ともに木材８上に釘７が自立したら、補助具１を釘７からはずし、釘７の頭を直接ハンマー９で打ち込み作業を完了させる。
【図面の簡単な説明】
【図１】  本発明の実施形態１に係る全体図
【図２】  本発明の釘の保持具の説明図
【図３】  実施形態２の打撃板の平面図
【図４】  実施形態２の打撃板の平面図
【図５】  実施形態２の打撃板の側面図
【図６】  打撃板の位置決め装置例
【符号の説明】
１    補助具
２    台板
３    板ばね
４    打撃板
５    把手
６    Ｖ溝
７    釘
８    木材
９    ハンマー
１０  ピン
１１  ボール
１２  コイルばね
１３  錐もみ穴
１４  穴
【図１】
2009178838.tif 000003
【図２】
2009178838.tif 000004
【図３】
2009178838.tif 000005
【図４】
2009178838.tif 000006
【図５】
2009178838.tif 000007
【図６】
2009178838.tif 000008
(57)【要約】【課題】近赤色光波長域を含む可視光線波長域を遮光し、主に遠赤色光波長域を放射する事を特徴とした、水銀ランプを提供する。【解決手段】可視光を遮光するガラス管の内壁に赤外蛍光体を有する事を特徴とする遠赤色光波長域用水銀ランプの製作。【選択図】図１
2009187921.tif 000002
【特許請求の範囲】
【請求項１】
可視光を遮光するガラス管の内壁に赤外蛍光体を有する事を特徴とする遠赤色光波長域用水銀ランプ。
【請求項２】
波長域４５０ｎｍ以上６８０ｎｍ以下の光りを遮光し、波長域６８０ｎｍ以上８８０ｎｍ以下の光りを放射する事を特徴とする請求項１記載の遠赤色光波長域用水銀ランプ。
【発明の詳細な説明】
【技術分野】
【０００１】  本発明は、遠赤色光波長域を放射する水銀ランプを提供するものであり、特に植物育成に適した水銀ランプに関するものである。
【背景技術】
【０００２】  近年の農学研究の進歩により、光りの波長と植物の成長部位の相関関係が解明されてきている。そして植物に影響を及ぼす波長域は約３００ｎｍ〜８００ｎｍで、特に遠赤色光と呼ばれる光の波長域７００ｎｍ〜８００ｎｍが植物育成に必要不可欠なものである事が明らかになってきている。【０００３】  植物の光りに対する反応は、光合成反応と光形態形成反応に分けられる。光合成は、光エネルギーを利用して有機物を合成する反応を指し、光形態形成は成長（種子発芽、光屈性など）、分化（花芽形成、葉の形成、色素量調整など）、運動（気孔開閉など）、生合成（カロチン、アントシアニンの生成など）の現象を指す。【０００４】  その事で植物育成に用いられる光源として、白色型蛍光灯や３波長形蛍光灯、メタルハライドランプ並びに高圧ナトリウムランプが多く使用されている。
【非特許文献１】照明学会誌  第９１巻  第４号  １８４頁〜１８８頁  「植物生産システムにおける人工光利用」より
【発明の開示】
【発明が解決しようとする課題】
【０００５】  しかしながら上記の非特許文献１にある光源にも以下のような問題点があった。
（イ）  上記の非特許文献１には遠赤色光が多いと茎が伸長し花成が促進されるとあるが、表４にある光源において、白色型蛍光灯の場合は遠赤色光波長域７００ｎｍ〜８００ｎｍ付近（以下ＦＲと表記）９％、３波長形蛍光灯の場合はＦＲ９％、メタルハライドランプの場合はＦＲ９％、高圧ナトリウムランプの場合はＦＲ８％とあるように、一般的に植物育成に使用する光源では遠赤色光波長域ＦＲの割合が少なかった。
（ロ）  この事は植物育成の研究分野において、近紫外線波長域が多いと植物の茎の伸びを鈍らせ葉を厚くし、更に近赤色光波長域が多いと植物の茎や葉を縮小させ成長を妨げ、花成が促進されず開花も早まらない問題がある。
【課題を解決するための手段】
【０００６】  本発明は上記の問題点を解決する為になされたものであり、その手段として可視光を遮光するガラス管の内壁に赤外蛍光体を有する遠赤色光波長域用水銀ランプとした事を特徴とするものである。更に波長域４５０ｎｍ以上６８０ｎｍ以下の光りを遮光し、波長域６８０ｎｍ以上８８０ｎｍ以下の光りを放射するものである。
【発明の効果】
【０００７】  強い遠赤色光波長を放射する事で植物育成に適した光りが効率良く放射される。【０００８】  更に可視光線波長域並びに近赤色光波長域４００ｎｍ〜７００ｎｍが上記構成とする事により、約４５０ｎｍ〜７００ｎｍ付近の可視光線波長域並びに同波長域内に存在する６００ｎｍ〜７００ｎｍ付近の近赤色光波長域の放射を吸収させる事が出来、植物の成長を促進する事ができる。【０００９】  従って本発明の水銀ランプを使用する事で植物の茎が伸長し、葉の面積が拡大されて、更には花成が促進され開花が早まる効果が得られる。
【発明を実施するための最良の形態】
【００１０】  以下、本発明の実施例を第１図に基づいて説明する。
１は本発明の遠赤色光波長域用水銀ランプの断面図で、２は可視光を遮光するガラス管であり、紫外線を透過するが可視光を透過しないフィルターガラス管である。このガラス管２は従来製品としてある約３４０ｎｍ〜３８０ｎｍ付近を最大ピークに持つブラックライトと称される蛍光ランプに使用されているフィルターガラス管である。
３はガラス管２の内壁に形成された赤外蛍光体である。赤外蛍光体３とは、可視放射エネルギーに同時に起きる付帯的な赤外放射による発光の励起で起きるか、もしくはその励起に追従して起きる硫化物やセレン化物のような蛍光体であり、例えば酸化リチウム・酸化鉄・酸化アルミニウムを主成分とする通常の赤外蛍光体（日亜化学製  製品名ＮＰ−８７０）が用いられる。この赤外蛍光体を塗布・焼付け等の手段により、ガラス菅２の内壁に赤外蛍光体３を形成する。
赤外蛍光体３を形成した発光菅の両端に電極を封着し、その発光管内に水銀及び希ガスを封入し遠赤色光波長域用水銀ランプを形成する。
第２図は室温２５℃・湿度５０％の状態で本発明の遠赤色光波長域用水銀ランプに交流電圧１００Ｖ（５０Ｈｚ）・電流値３６０ｍＡの電源で発光させ、その光源から５０ｃｍ離した場所に測定器を配置させ、その発光体を測定した遠赤色光波長域用水銀ランプ発光スペクトル分布図である。
第２図に示すように本発明の遠赤色光波長域用水銀ランプでは、波長６８０ｎｍから８８０ｎｍの領域において強い光が放射される為、植物の育成に適している。
本発明の遠赤色光波長域用水銀ランプは、ランプ製造の点においても、通常市販されている蛍光ランプと同じ製造方法の為、様々な規格に準拠したランプが製造可能であり、使用環境や状況に適応した水銀ランプを供給できる。
また、汎用品である蛍光ランプ用照明器具をそのまま使用できる利点がある為、多種多様に設置対応が可能であり、コストの面でもかなり安価に抑える事が出来る。
【図面の簡単な説明】
【００１１】
【図１】本発明の一実施例の遠赤色光波長域用水銀ランプの断面図
【図２】本発明の遠赤色光波長域用水銀ランプ発光スペクトル分布図
【符号の説明】
【００１２】１  遠赤色光波長域用水銀ランプ
２  可視光を遮光するガラス管
３  赤外蛍光体
【図１】
2009187921.tif 000003
【図２】
2009187921.tif 000004
(57)【要約】【課題】  工事等、請負契約にまつわる競争入札制度には談合や無駄な支出等の問題点が露呈されているため、業界にはいわゆる弱肉強食の構図が蔓延している。これを是正するための新しい請負契約制度を提供する。【解決手段】  競争入札制度とは全く逆の発想で、発注者は工事等の概要と金額を示し、請負希望者には設計を競わせ、低コスト且つ高品質な事業を完成させるものである。【選択図】図１
2009187505.tif 000002
【特許請求の範囲】
【請求項１】
工事の請負などに際して契約希望者が複数ある場合、発注者にとって最も有益性のある契約希望者を選定する方法を提供する。
【発明の詳細な説明】
【技術分野】
【０００１】  本発明は、工事の請負などに際して契約希望者が複数ある場合、発注者にとって最も有益性のある契約者を選定するための方法である。
【背景技術】
【０００２】  従来の選定方法は競争入札による請負金額提示が基になるが、談合等の汚職が頻発する状況にあり、それを回避するための工夫が必須となっている。【０００３】  発注者は設計をコンサルタントに委嘱するため、それに掛かるコストと現場の状況にそぐわない無駄のある設計が予定落札額を上昇させる状況にある。【０００４】  複数の契約希望者が入札しても資本力の無い零細な経営をしている契約希望者は落札できない構図になっている。
【発明の開示】
【発明が解決しようとする課題】
【０００５】  本発明は発注者の出費を最小限に抑え、かつ完成度の高い工事を請け負わせるための契約を成立させようとする。
【課題を解決するための手段】
【０００６】  〔図１〕１に示すように発注者が進めようとする事業の概要と金額、工期等を公開し、契約希望者を募る。【０００７】  契約希望者は〔図１〕２のように、事業の概要に基づき（仮に）工事現場の状況等、発注者の利益を重んじた設計を自ら作成し、発注者へ提出する。【０００８】  発注者は期限までに提出された設計書を審査し、〔図１〕２のように契約希望者１件を選定する。
【発明の効果】
【０００９】  本発明により、契約を取り付けた希望者は自らの設計に責任を持ちながら事業を完成させる事ができ、発注者にとっては低コスト且つ高品質な事業を提供できる。【００１０】  契約希望者が零細経営で、工事落札困難だった状況も本発明による契約であれば、地理・風土等を熟知した能力を最大限発揮することにより合理的な設計をすることができ、事業の契約が可能となる。【００１１】  本発明により、談合汚職等のアンフェアーな契約を排除する効果が期待できる。
【発明を実施するための最良の形態】
【００１２】  公共団体等が治山工事を発注する場合を例にするが、旧来、発注者は競争入札の前に設計コンサルタントに設計を依頼するわけだが、本発明ではこの設計作業を請負希望者に競争させるのである。また、設計競争公募と同時に、工事に対する予算額をあらかじめ決定しておくことにより、公共団体等は事業着手決定と共に予算も決定するため、明瞭な会計を遂行できる。請負業者選定に関わる設計審査には、町民代表等を交えた開かれた審査をも可能にする。
仮に治山工事を請負うことになった業者は現場の状況や周辺住民の意向、景観とのマッチング、これら諸条件を勘案しながらの設計には経験と技が反映されるため、旧来設計コンサルタントが設計していたそれとは格段に質が向上する上、コストパフォーマンスにも多大に寄与する。ゆえに必ずしも規模の大きな企業が契約できる確立が高いわけではない。
【図面の簡単な説明】
【００１３】
【図１】  発注者に対して請負希望者が３件あり、請負公募から１件との契約成立までを図に表した。
【符号の説明】
【００１４】  １  発注者が契約に係る情報を請負希望者に公開する過程。
２  請負希望者が発注者に対し必要な情報を提出する過程。
３  発注者が請負者を決定し指名する過程。
【図１】
2009187505.tif 000003
(57)【要約】      （修正有）【課題】記録媒体を使用し、読者が自分でストーリーの選択や書込みをすることで、新たなストーリー展開を図ることができ、他者と異なった結末を導くことができるような書籍及びシステムを提供する。【解決手段】作者が既に異なった登場人物、主人公、ストーリーを先に作成しておき、それを記録媒体にデータで記録しておき、読者はそれぞれの場面で自分で選択をしながらストーリーを読んでいくことができ、自分の意志や要望をストーリーに反映させることができる。ＵＳＢメモリーを使用した場合には、コンピューター上でインターネットを使用し、他のユーザーと互いのストーリー展開を見せ合ったり、自分でストーリーを書き込み、公開することもできる。【選択図】図１
2009187503.tif 000002
【特許請求の範囲】
【請求項１】
書き込み可能なメモリーＩＣを使用した、ＳＤカード、ＭＭＣカード、コンパクトフラッシュ、メモリースティック、スマートメディアなどや、ＵＳＢメモリーなどの記録媒体（以下、総称して『記録媒体』と呼ぶ）に、小説やマンガなど（以下、『書籍データ』と呼ぶ）を記録し、読者が登場人物や主人公を選択したり、途中にいくつかの選択肢が設けられており、読者がそれを選ぶことにより異なるストーリーが展開されたりする、ゲーム感覚の新しい書籍、及びこれをコンンピューター、ＰＤ、携帯電話、ＴＶなどで読むことが出来るシステム。
【請求項２】
ＵＳＢメモリーを使用する場合には、コンピューターにＵＳＢを接続することにより、同様の小説またはマンガなどの別の登場人物を操るユーザーと接触したり、お互いのストーリー展開を見せ合うことも可能とするロールプレイングゲームの形態の書籍及びそのシステム。
【請求項３】
ＵＳＢメモリーをコンピューターに接続した場合、これをデータで管理しインターネット上で読者が自分で独自のストーリーを書き込むことも出来、又、それを公開することも出来る。つまりインタラクティブ形態の書籍及びそのシステム。
【発明の詳細な説明】
【技術分野】
【０００１】この発明は、記録媒体を使用して読者が自分でストーリーの選択や書き込みをすることで、新たに展開することができ、他者と違った結末を導くことができる新しいタイプの書籍及びシステムに関する。
【背景技術】
【０００２】従来の本での小説またはマンガなどの場合、読者は既に作者が創作した一つのストーリーを読むことしかできなかった。また別の登場人物を主人公にしたい、ここで違う選択をしたい、と思っても、それは空想に過ぎず、読者の要求に関係なくストーリーが展開され、読者はその選択や判断に参加することは不可能であった。
また従来の本は小さくても文庫版程度の大きさ、重さがあり、持ち運びに不便で販売スペースも必要とした。
【発明の開示】
【発明が解決しようとする課題】
【０００３】これまでの書籍データは本に記載される、またはインターネットや記録媒体に本に記載されたままのデータを載せたものを見ることしかなかった。そのため、書籍とゲームが融合したものは存在せず、書籍にゲームのようなエンターティメント性を求めるのは難しかった。
また書籍の場合は持ち運びをしなければならず、またＰＣ上で見る場合には持ち運びができず、持ち運びできる記録媒体を使用し携帯などで見る場合にも、ストーリーが最初から最後まで決められたものがデータ化されたものしか存在しなかった。
【課題を解決するための手段】
【０００４】以上の課題を解決するために、本製品は、作者が既に異なった登場人物、主人公、ストーリーの途中での選択肢、選択後のそれぞれのストーリーなど多数のストーリーを先に作成しておき、それを記録媒体にデータで記録しておき、読者はそれぞれの場面で自分で選択をしながらストーリーを読んでいくことができ、自分の意志や要望をストーリーに反映させることができる。
またＵＳＢメモリーを使用した場合には、それをコンピューターに接続した場合、コンピューター上でインターネットを使用し、他の当該ＵＳＢメモリーユーザーとお互いのストーリー展開を見せ合ったり、自分でストーリーを書き込み、公開することもできる。
またそれぞれの記録媒体は小型であるため、持ち運びにも楽で、売り場面積が少なくなり価格の面でも有利になる。
【発明の効果】
【０００５】本発明によれば、書籍は出来上がったストーリーを読者が読むもの、という固定概念を覆し、読者が参加し、選択し、独自のストーリーを書き込むことも可能で、またそれを公開することもでき、新しいエンターティメントの形を作ることができる。
またデータで管理しているため、インターネット上で購入し、すぐに読むことも可能となる。
記録媒体に記録することで、場所を取らず、持ち運びも楽で、携帯電話やＰＤを使用することにより何処でも見ることが出来る。又、販売側でも販売スペースを少なくすることで販売コストを抑えることが出来る。
【発明を実施するための最良の形態】
【０００６】この発明の実施形態を、図１に示す。
【図面の簡単な説明】
【０００７】
【図１】この発明の実施形態を示す図である。１のデータを３を含む２に書き込み、それを５を含む４を使って読む。３を使用する場合は、３を５に接続すると、インターネット上で他ユーザーの内容を閲覧したり、自身で書き込んだり、それを開示したりすることができる。
【符号の説明】
【０００８】１    書籍データ
２    記録媒体
３    ＵＳＢメモリー
４    記録媒体を読み込む機器（コンンピューター、ＰＤ、携帯電話、ＴＶなど）
５    コンピューター
【図１】
2009187503.tif 000003
(57)【要約】      （修正有）【課題】簡単で時間のかからない予約、発券、入退場、座席の管理等のシステムを提供する。【解決手段】ＲＦＩＣチップ内蔵ＵＳＢ小型デバイスを使用することにより、これをコンピュータに差し込み、検索することなく目的のウェブサイトに辿り着くことができ、イベントチケットを予約、購入すると、その情報がＲＦＩＣチップに書き込まれ、紙によるチケットの発券が必要なくなり、イベント会場にてＲＦＩＤリーダ／ライタでチケット購入状況等を確認し、入退場、予約などの管理を無人または少人数で短時間に行くことができる。またアミューズメントパークなどでも、先にコンピュータ上でアトラクションや時間などを予約し、ＲＦＩＣチップに記録し、現地にＵＳＢ小型デバイスを持参し、ＲＦＩＤリーダ／ライタで読み込むことで予約確認ができる。その他、ＵＳＢ小型デバイスからしかアクセスできない会員専門の特典、サービスなどを管理することもできる。【選択図】図１
2009187502.tif 000002
【特許請求の範囲】
【請求項１】
ＵＳＢ小型デバイスをコンピュータに差し込み、指定のウェブサイトにつながり、そのサイトからコンサート、映画、スポーツ、演劇、アミューズメントパーク等（以下、まとめて『イベント』と呼ぶ）のチケットを予約、購入できるシステム。
【請求項２】
当該ＵＳＢ小型デバイスにＲＦＩＣチップを内蔵し、チケット購入者は紙による入場券、入園券またはアミューズメントパークのパスポートなど（以下、まとめて『入場券』と呼ぶ）の代わりにＵＳＢ小型デバイスを当該イベント会場に持参すれば、ＲＦＩＣチップをＲＦＩＤリーダ／ライタで読み込み、または書き込みすることで、入場、入園、アトラクションへの参加、入退場、予約、座席など（以下、まとめて『入場』と呼ぶ）の確認管理などができるシステム。
【請求項３】
当該ＵＳＢ小型デバイスの保持者（以下、『会員』と呼ぶ）だけが見られる会員サイトや、ＲＦタグにより様々な管理、確認ができるため、例えば入場した者だけへの特別サービスや特典など、ファンクラブの会員、ウェブサイトの会員等へのサービスの充実を図ることができる。
【発明の詳細な説明】
【技術分野】
【０００１】この発明は、ＲＦＩＣチップ内蔵のＵＳＢ小型デバイスによる、イベントの予約、イベントチケットの発券、イベント会場への入場、座席の管理、会員に対する各種サービス等に関する。
【背景技術】
【０００２】従来、イベントの予約、発券の際には、紙によるチケットの発券または予約番号などの発行が行われた。そのため入場の際には、イベント会場で係員が一枚ずつチケットや予約番号を確認し、入場に時間がかかっていた。
また混雑が予想されるアミューズメントパークなどで各アトラクションに参加するためには長時間並ばなければならず、先に時間やアトラクションなどを選んで予約するシステムがなかった。または予約システムが存在している場合でも、現地でしか行えなかった。
【発明の開示】
【発明が解決しようとする課題】
【０００３】従来の技術や方法によれば、入場の際のチケット確認は手動の場合が多く、人件費もかかり、時間もかかった。
またアトラクションなどの予約ができないため、イベント参加者、来場者は多くの時間を待つことに取られることが多かった。
そこでこの発明は、簡単で時間のかからない予約、発券、入退場、座席の管理等のシステムを構築することを課題とする。またこれに付随する新たな会員サービスの構築を課題とする。
【課題を解決するための手段】
【０００４】以上の課題を解決するために、ＵＳＢ小型デバイスをコンピュータに差し込み、検索サイトなどで検索することなく目的のウェブサイトに辿り着くことができ、そのウェブサイトよりイベントチケットを予約、購入すると、その情報がＲＦＩＣチップに書き込まれ、紙によるチケットの発券の必要がなくなり、イベント会場にてＲＦＩＤリーダ／ライタでチケット購入状況等を確認し、入退場、予約などの管理を無人または少人数で短時間に行うことができる。
またアミューズメントパークなどでも、先にコンピュータ上でアトラクションや時間などを予約し、その情報をＲＦＩＣチップに記録し、現地に当該ＵＳＢ小型デバイスを持参し、ＲＦＩＤリーダ／ライタで読み込むことで予約確認をすることができる。
その他、当該ＵＳＢ小型デバイスからしかアクセスできない会員専門あるいは限定のウェブサイトの作成、特典、サービスなどを作ることができ、それらを管理することもできる。
【発明の効果】
【０００５】本発明によれば、イベント主催者は、これまで時間や人件費がかかったチケット発券、予約、イベント会場の入場管理、アトラクション管理などが楽になり、イベント参加者はこれまで手間のかかったチケット予約、発券、イベント会場への入場、アトラクションへの参加などが楽になる。よって、イベントの主催者及び参加者の双方に利益をもたらす。
【発明を実施するための最良の形態】
【０００６】この発明の実施形態を、図１に示す。
【図面の簡単な説明】
【０００７】
【図１】この発明の実施形態を示す図である。１を３に接続し、４を介し５にあるウェブサイトにたどり着き、そこでイベントのチケットの予約、発券を行い、その情報が１の内部にあるＲＦＩＣチップに書き込まれ、それをもってイベント会場で６に当てると、２のアンテナ同士が情報の受発信をし、入場、座席、予約などの管理ができる。
【符号の説明】
【０００８】１    ＲＦＩＣチップ内蔵ＵＳＢ小型デバイス
２    アンテナ
３    ＵＳＢインターフェイスを備えたコンピュータ
４    インターネット
５    サーバー
６    ＲＦＩＤリーダ／ライタ
【図１】
2009187502.tif 000003
(57)【要約】【課題】従来の携帯電話のかな入力は同じキーを何度も押して入力文字を選択するためキータッチ回数が多くなります。【解決手段】この問題を解決するため、携帯電話のディスプレイを利用してかな入力を行うことにより操作性の向上を図りました。【選択図】図１
2009187513.tif 000002
【特許請求の範囲】
【請求項１】
携帯電話のディスプレイを利用して１０（テン）キーによるかな入力を行う方法
【発明の詳細な説明】
【技術分野】
【０００１】この発明は、携帯電話等の１０（テン）キーによる文字入力に関する。
【背景技術】
【０００２】従来の携帯電話の文字入力はかな入力で行っていますが、この方法は同じキーを何度も押して入力文字を選択する必要がありキータッチ回数が多くなります。
【発明の開示】
【発明が解決しようとする課題】
【０００３】本発明は、従来のかな入力の問題点を解決することを目的とするものである。
【課題を解決するための手段】
【０００４】そして、本発明は上記目的を達成するために携帯電話のディスプレイを利用して１０（テン）キーによるかな入力を行う方法を開発する。
【発明の効果】
【０００５】携帯電話のかな入力をディスプレイを利用して行うことにより操作性が向上します。
平成２０年１月２３日特許出願のアルファベット入力方法と併せて英字入力、ローマ字入力及びかな入力が統一した操作で行うことが出来ます。
また、数字以外の文字入力は全てディスプレイの補助により行うため１０（テン）キートップの文字表示が不要となりスッキリとしたキーボードになります。
【発明を実施するための最良の形態】
【０００６】以下、本発明の実施の形態を説明する。【０００７】ディスプレイに表示する画面は縦３×横３＝９のキーアレンジです。
表示画面のキーアレンジが１０（テン）キーのキーアレンジになります。
スタートは〔行（ぎょう）指定〕画面です。
〔行指定〕画面で入力したい文字の行を入力し行画面に切替えます。
行画面で入力したい文字を入力します。一文字入力すると〔行指定〕画面に戻ります。【０００８】入力方法
（１）大文字「あ」入力
〔行指定〕画面で「あ」キー押下
〔あ行〕画面で「あ」キー押下
（２）小文字「っ」入力
〔行指定〕画面で「た」キー押下
〔た行〕画面で「小」小文字キー押下
同画面で「つ」キー押下
（３）濁点「ぐ」入力
〔行指定〕画面で「か」キー押下
〔か行〕画面で「゛」濁点キー押下
同画面で「く」キー押下
（４）半濁点「ぴ」入力
〔行指定〕画面で「は」キー押下
〔は行〕画面で「°」半濁点キー押下
同画面で「ひ」キー押下
（５）数字「５」入力
〔行指定〕画面で＊キー押下
〔数字〕画面で「５」キー押下
（６）句読点「。」入力
〔行指定〕画面で＃キー押下
〔記号〕画面で「。」キー押下
【図面の簡単な説明】
【図１】ディスプレイのキーアレンジと１０（テン）キーのキーアレンジ
【図２】各種キーアレンジ
【図１】
2009187513.tif 000003
【図２】
2009187513.tif 000004
(57)【要約】【課題】    マウスパットと肘置き部が一体となった用具を提供する。【解決手段】    マウスパットと肘置き部を一体化させ、肘置き部前面の差込みスペースを設けキーボードの下に差し込むことで、肘置きとずれないマウスパットとすることを特徴とするパソコン関連用具。【選択図】図１
2009187515.tif 000002
【特許請求の範囲】
【請求項１】
マウスパットスペースと差込みスペースを設けた長方形薄型板状のパットの上面の一部に、所定厚さの長方形板状の肘付き部を重ねて設けたことを特徴とするキーボード肘置き付きマウスパット。
【発明の詳細な説明】
【技術分野】
【０００１】  本発明は、マウスパットとキーボード肘置きを一体化したパソコン関連用具に関するものである。
【背景技術】
【０００２】  従来、マウスパット単品の用具があった。
【発明の開示】
【発明が解決しようとする課題】
【０００３】  そのために、次のような問題点があった。
（イ）パソコンのキーボード操作は、一般的に肘を支点に指先を動かしながら行うが長時間作業をすると肘などが疲れることがあった。
（ロ）マウスパットは、使用中にいつの間にかずれてしまうことがあった。
本発明は、これらの問題点を解決するためになされたものである。
【課題を解決するための手段】
【０００４】  マウスパットスペースと差込みスペースを設けた長方形薄型板状のパットの上面の一部に、所定厚さの長方形板状の肘付き部を重ねて設けたことを特徴とするキーボード肘置き付きマウスパットである。
【発明の効果】
【０００５】  肘への負担が軽減され、マウスパットがずれる心配も解消され、キーボード操作に専念できる。
【発明を実施するための最良の形態】
【０００６】  以下、本発明の実施形態について説明する。
（イ）本体の右側の部分をマウスパットスペース（１）とする。
（ロ）本体左側手前を肘置き部（２）とし、キーボードとほぼ同程度の高さ（厚さ）を有するものとする。
（ハ）本体左側前面部を差込みスペース（３）とし、（１）と同様の厚さとする。
本発明は以上のような構成で、これを使用するときは、キーボードに差込みスペース（３）を差込み、本体を固定してキーボード及びマウス操作を行う。
【図面の簡単な説明】
【０００７】
【図１】本発明の斜視図
【図２】図１におけるＡ−Ａ断面図
【符号の説明】
【０００８】  １  マウスパットスペース
２  肘置き部
３  差込みスペース
【図１】
2009187515.tif 000003
【図２】
2009187515.tif 000004
(57)【要約】【課題】一体型ＥＴＣは、どうしてもダッシュボードに取付ける為、運転手の視界に入りやすく視界の確保に影響を与える。一方分離式ＥＴＣは通信アンテナをフロントガラスやダッシュボードに取り付け、これも視界の確保を遮るのと本体をダッシュボードの下に取り付けるため、運転の時の手足が触れることが起こりやすく、運転に何らかの支障を来たす恐れがあるといった問題があった。【解決手段】  ▲１▼従来からある、自動車のルームミラーのミラー部（１）にＥＴＣ装置本体（２）と通信装置（３）を取り付け、側面にＥＴＣカード（４）を入れる所を設けることにより、ＥＴＣ装置を後から取付ける違和感も、視界の確保を損なうことも、運転操作中に手足が触れることも無い。それに高級車等、後から取付け高級感を即なうということも、無くなる。以上のことを特徴とする。【選択図】図１
2009187511.tif 000002
【特許請求の範囲】
【請求項１】
▲１▼自動車のルームミラーのミラー部（１）の背面にＥＴＣ装置本体（２）と通信アンテナ（３）を取り付け、側面にＥＴＣカード（４）を入れる所を設け、ミラー後ろにミラー固定部（５）をつけた装置。
【発明の詳細な説明】
【技術分野】
【０００１】  この発明は  ▲１▼自動車のルームミラーのミラー部（１）の背面にＥＴＣ装置本体（２）と通信アンテナ（３）を取り付け、側面にＥＴＣカード（４）を入れる所を設け、ミラー後ろにミラー固定部（５）をつけた装置に関するものである。
【背景技術】
【０００２】従来は、ＥＴＣ装置を取付際、一体型の場合装置がダッシュボードの上に取付けなくてはならなかった。分離型にしても、本体をダッシュボードの下等に取付をしていて、視界の確保や運転操作の妨げになることが、あった。
【発明の開示】
【発明が解決しようとする課題】
【０００３】
【発明が解決しようとする課題】これには次のような欠点があった。
一体型ＥＴＣは、どうしてもダッシュボードに取付ける為、運転手の視界に入りやすく視界の確保に影響を与える。一方分離式ＥＴＣは通信アンテナをフロントガラスやダッシュボードに取り付け、これも視界の確保を遮るのと本体をダッシュボードの下に取り付けるため、運転の時の手足が触れることが起こりやすく、運転に何らかの支障を来たす恐れがあるといった問題があった。
本発明は、これらの欠点を解決するためになされたものである。
【課題を解決するための手段】
【０００４】▲１▼従来からある自動車のルームミラーのミラー部（１）の背面にＥＴＣ装置本体（２）と通信アンテナ（３）を取り付け、側面にＥＴＣカード（４）を入れる所を設け、ミラー後ろにミラー固定部（５）をつけた装置。
本発明は、以上の構成からなるＥＴＣ装置付きルームミラーである。
【発明の効果】
【０００５】▲１▼従来からある、自動車のルームミラーのミラー部（１）にＥＴＣ装置本体（２）と通信装置（３）を取り付け、側面にＥＴＣカード（４）を入れる所を設けることにより、ＥＴＣ装置を後から取付ける違和感も、視界の確保を損なうことも、運転操作中に手足が触れることも無い。
それに高級車等、後から取付け高級感を即なうということも、無くなる。
【発明を実施するための最良の形態】
【０００６】以下、本発明の形態を説明する。
▲１▼自動車のルームミラーのミラー部（１）の背面にＥＴＣ装置本体（２）と通信アンテナ（３）を取り付け、側面にＥＴＣカード（４）を入れる所を設け、ミラー後ろにミラー固定部（５）をつけ自動車に固定します。
本発明は、以上のような構造で、これを使用するときは、
▲１▼従来のルームミラーの役割の後方紙や確保を行い。
▲２▼ＥＴＣ装置にＥＴＣカードを差し込む時は、側面から、ＥＴＣカードを挿入します。
▲３▼通信アンテナにより、『ノンストップ自動料金支払い』を行います。
【図面の簡単な説明】
【０００７】
【図１】本発明の構造をあらわした背面図である。
【符号の発明】
１  ミラー部
２．ＥＴＣ本体装置
３．通信アンテナ
４．ＥＴＣカード
５．固定部
【図１】
2009187511.tif 000003
(57)【要約】      （修正有）【課題】生きたことの証を、ごく普通の方々でも簡単に残せるようにする思い出情報の登録方法およびその公開方法を提供する。【解決手段】長期間公開を目的とする個人が残したい情報、もしくは大切な方の思い出を、文字、静止画、動画、音声などの電子情報に変換し、個人別にまとめた電子ファイルを作り、上記個人別のファイルを専門に預かるホームページを設け、上記ホームページへ登録と入力を行う。上記ホームページより入力後にサーバーへ転送されることで公開の準備が整う。受給者は各々の端末を操作して、上記ホームページにアクセスすることで、預けられた個々のファイルをいつでも誰でも簡単に見ることができるようになる。思い出を電子ファイル化することによって、保管のための空間や場所による制限を受けなくなるため、必要な量の情報を長く保存することができる。【選択図】図１
2009187514.tif 000002
【特許請求の範囲】
【請求項１】
長期間公開を目的とする個人が残したい情報もしくは大切な方の思い出を、文字、静止画、動画、音声などの電子情報に変換し、個人別にまとめた電子ファイルを作り、上記個人別のファイルを専門に預かるホームページを設け、上記ホームページへ登録と入力を行い、上記ホームページへ入力後にサーバーへ転送する。転送された後に上記ホームページへアクセスすることによって、預けた個々のファイルをいつでも誰でも見ることができるようにした思い出情報の登録方法およびその公開方法。
【発明の詳細な説明】
【技術分野】
【０００１】  本発明は、個人もしくは大切な方のこの世に生きたことの証や思い出を多く保存し、長く公開することを図った思い出情報の登録方法およびその公開方法に関する。
【背景技術】
【０００２】  従来の個人もしくは大切な方のこの世に生きたことの証や思い出を保存する技術としては、写真やビデオ、本にして残す方法があり、近年では個人的なホームページやブログで残す方法もある。故人を偲ぶ従来の方法としては、戒名や仏壇、墓石などがあった。
【発明の開示】
【発明が解決しようとする課題】
【０００３】  以上のように、個人レベルでは写真やビデオ、本にして残すには枚数や本数に限界があり、ホームページやブログで残すとしても本人の死亡による退会で消滅してしまう。【０００４】  戒名や仏壇、墓石などは、個人的な記録を大量に保存する方法としては不向きであり、場所や土地の確保にも限界があり、守り手が途絶えることで消滅してしまう。【０００５】  本発明は、このような従来の技術や偲ぶ方法が有していた問題を解決しようとするものであり、これまで歴史に名を残せるような著名な方々でしか不可能とされてきた生きたことの証を、ごく普通の方々でも簡単に残せるようにする思い出情報の登録方法およびその公開方法を実現することを目的とするものである。
【課題を解決するための手段】
【０００６】  そして、本発明は上記目的を達成するために、従来の上記技術と上記偲ぶ方法を組合わせてみることによりヒントを得て本発明を完成させることができた。それは、長期間公開を目的とする個人が残したい情報もしくは大切な方の思い出を、文字、静止画、動画、音声などの電子情報に変換し、個人別にまとめた電子ファイルを作り、上記個人別のファイルを専門に預かるホームページを設け、上記ホームページにアクセスすることで預けた個々のファイルをいつでも誰でも見ることができるようにしたものである。【０００７】  上記の課題解決手段による作用は次の通りである。すなわち、残したい思い出を、ホームページやブログの形式で電子情報に変換し、電子ファイル化した思い出を、設けられた専門に預かるホームページに登録し入力することで個人の下を離れ、サーバーへ転送されることで公式に記憶され、公開されることになる。
【発明の効果】
【０００８】  上述したように本発明の思い出情報の登録方法およびその公開方法は、これまで常人には不可能とされてきたこの世に生きた証や思い出を残すことを、誰でも簡単に実現できるようになり、電子化によって、保管のための空間や場所による制限を受けなくなるため、限られた範囲の歴史的な資料だけではなく、個人レベルの広範囲な情報が残せるようになる。従来、人は死んでしまえば終わりで、後は忘れ去られるのみというのが風習であったが、これからは容易に故人や本人が生きたときの細かな情報まで残せるようになるため、人生に緊張感が増すことになる。それは、今まで信憑性に乏しいとか不鮮明であった個人のルーツや親族の系図が確かな形で明らかになるからである。このことによって故人の名誉や本人の生きがいが自動的に高められるようになり、結果として、先祖への畏敬や子孫への責任感も高まることになる。
【発明を実施するための最良の形態】
【０００９】  本発明を実施する際に、実施例の方法の他にも方法があることは言うまでもない。
以下、本発明の実施の形態を図１に基づいて説明する。
【実施例】
【００１０】  図においては、１は公開可能な情報を預かるホームページを示す。【００１１】  ２はサーバーを示し、３は受給者の端末を示す。【００１２】  以下、上記構成の動作を説明する。まず最初に思い出依頼主をホームページ１に登録する。次に文字、静止画、動画、音声等の情報を入力し、プロフィールや思い出等のファイルを設け、公開のためにサーバー２へ転送し、各ファイルを記憶させる。受給者は端末３にて各Ｒのプラウザにホームページ１のＵＲＬを入力してＦｎｔｅｒキーを押すと、プロバイダーのサーバーからホームページ１用のファイルが送られ、内容が表示される。そしてアイコンで表示対象者を選択すると、プロフィールとアイコンが表示され、思い出情報のアイコンを選択することで表示出力がなされる。以上のように、本実施形態によれば誰でも簡単にこの世に生きた証や思い出を残せて、公開することが得られるものである。
【産業上の利用可能性】
【００１３】  近年核家族化、少子化、未婚者なとの増加で墓守の後継者に恵まれない世帯が急増中、合わせて無神論者による宗教離れも拡大しつつある今日においては、墓石や仏壇とは異なる新たな癒しの、もしくは、偲ぶためのアイテムが求められている。また、楽しい思い出を長く残せることから、ペットロス症候群の軽減にも役立つ可能性がある。
【図面の簡単な説明】
【００１４】
【図１】  本発明の実施形態の流れを示す図
【符号の説明】
【００１５】  １      ホームページ
２      サーバー
３      端末
【図１】
2009187514.tif 000003